(57)【要約】【課題】  コンピュータシステムのシステム構成情報から自動的にパラメータシートを生成することができる，新規かつ改良された，パラメータシート生成装置およびコンピュータプログラムを提供する。【解決手段】  コンピュータシステム１１０を管理するオペレーティングシステムを構成し，オペレーティングシステムの動作のためのパラメータが記されているシステム構成情報１１２を受信する受信部と，受信したシステム構成情報の内容を解析して，システム構成情報１１２に記されているパラメータを取得する解析部と，解析部で取得したパラメータを，パラメータシート１３０に記録してパラメータシート１３０を生成する生成部と，を含むことを特徴とする，パラメータシート生成装置１２０が提供される。【選択図】    図１
2007241532.tif 000002
【特許請求の範囲】
【請求項１】
コンピュータシステムを管理するオペレーティングシステムの設定値であるパラメータを記録しておくための，設定値が対応箇所に記録されたパラメータシートを生成するパラメータシート生成装置であって：
コンピュータシステムを管理するオペレーティングシステムを構成し，前記オペレーティングシステムの動作のための前記パラメータが記されているシステム構成情報を受信する受信部と；
受信した前記システム構成情報の内容を解析して，前記システム構成情報に記されている前記パラメータを取得する解析部と；
前記解析部で取得した前記パラメータを，前記パラメータシートに記録して前記パラメータシートを生成する生成部と；
を含むことを特徴とする，パラメータシート生成装置。
【請求項２】
外部からウェブブラウザを介してアクセス可能であるウェブページを表示するウェブページ表示部をさらに含み，
前記ウェブページ表示部が表示するウェブページを介して，ウェブブラウザから前記システム構成情報の送信が可能であることを特徴とする，請求項１に記載のパラメータシート生成装置。
【請求項３】
前記解析部は，複数の前記システム構成情報を解析し，
前記生成部は，前記パラメータシートを前記システム構成情報毎に生成することを特徴とする，請求項１または２に記載のパラメータシート生成装置。
【請求項４】
前記生成部は，前記システム構成情報間の相違点の情報をさらに生成することを特徴とする，請求項３に記載のパラメータシート生成装置。
【請求項５】
前記パラメータシートは，スプレッドシートの形式で生成されることを特徴とする，請求項１〜４のいずれかに記載のパラメータシート生成装置。
【請求項６】
コンピュータシステムを管理するオペレーティングシステムの設定値であるパラメータを記録しておくための，設定値が対応箇所に記録されたパラメータシートを生成するコンピュータプログラムであって：
コンピュータをして，
コンピュータシステムを管理するオペレーティングシステムを構成し，前記オペレーティングシステムの動作のためのパラメータが記されているシステム構成情報を受信する処理と；
受信した前記システム構成情報の内容を解析して，前記システム構成情報の内部の前記パラメータを取得する処理と；
前記システム情報を解析して取得した前記パラメータを，前記パラメータシートに記録して前記パラメータシートを生成する処理と；
を実行せしめることを特徴とする，コンピュータプログラム。
【請求項７】
前記パラメータシートを生成する処理は，複数の前記システム構成情報を解析し，前記パラメータシートを前記システム構成情報毎に生成することを特徴とする，請求項６に記載のコンピュータプログラム。
【請求項８】
前記システム構成情報間の相違点の情報をさらに生成することを特徴とする，請求項７に記載のコンピュータプログラム。
【請求項９】
前記パラメータシートは，スプレッドシートの形式で生成されることを特徴とする，請求項６〜８のいずれかに記載のコンピュータプログラム。
【発明の詳細な説明】
【技術分野】
【０００１】
本発明は，パラメータシート生成装置およびコンピュータプログラムに関する。
【背景技術】
【０００２】
サーバコンピュータやホストコンピュータのようなコンピュータシステムを構築する際には，システムを構築するシステム構築者は，コンピュータシステムを管理するオペレーティングシステム（ＯＳ）を構成し，オペレーティングシステムの動作のためのパラメータが記されているシステム構成情報の設計を行う。
【０００３】
システム構成情報には，例えばＯＳのインストールに必要なコンピュータ名，ＩＰ（Ｉｎｔｅｒｎｅｔ  Ｐｒｏｔｏｃｏｌ）アドレスやサブネットマスク，デフォルトゲートウェイ等のネットワークの設定値，カーネルの定義情報（コンフィグレーション）の値等が含まれる。そして，システム構築者は設計したシステム構成情報に従ってＯＳのインストールを行う。
【０００４】
ＯＳのインストールを行う際には，システム構築者が設計したシステム構成情報の値をワードプロセッサソフトや表計算ソフト等で作成したシートに記入し，そのシートを参照しながら実際にＯＳのインストールを行う。以後，システム構築者がシステム構成情報の値を記入するシートのことをパラメータシートと称する。
【０００５】
システム構築者は，パラメータシートに，ＯＳのインストールに必要なコンピュータ名（ホスト名），ＩＰアドレスやサブネットマスク，デフォルトゲートウェイ等のネットワークの設定値，カーネルの定義情報（コンフィグレーション）の値等を記入する。
【０００６】
あらかじめパラメータシートへシステム構成情報の値の記入を行っておき，コンピュータシステムを構築する際に，システム構築者がパラメータシートを参照しながら構築することで，コンピュータシステムを構築する際に誤ったパラメータを設定することを防止することができ，また，システムを構築した後にシステム構築の際に使用したパラメータシートを参照することで，どのような設定でシステムを構築したかを把握することができる。
【０００７】
図８は，コンピュータシステムの構築について説明する説明図である。図８に示したように，システム構築者１０は，システムを構築する前に，パラメータシート１１にシステム構成情報の値を記入し，パラメータシート１１に記入したシステム構成情報の値に従って，コンピュータシステム１２の構築を行う。
【０００８】
設定したシステム構成情報は，例えば特許文献１の方法により，一括して取得することができる。コンピュータシステムに設定したシステム構成情報はファイルにして数百個分におよぶ。システムに異常が生じたときには，システム構成情報の取得を行い，取得したシステム構成情報を解析することで異常の原因を突き止め，システムの設定を変更することでシステムを正常に戻すことができる。
【０００９】
【特許文献１】特開２００５−２６６９１９号公報
【発明の開示】
【発明が解決しようとする課題】
【００１０】
しかし，本来はシステム構築者がパラメータシートにシステム構成情報を記入してからコンピュータシステムを構築しなければならないが，パラメータシートへの記入を行わずにコンピュータシステムを構築してしまう場合がある。このような場合には，構築したコンピュータシステムに設定されたパラメータを参照するには，システム構築情報を特許文献１の方法でコンピュータに設定したシステム構成情報を取得する必要がある。
【００１１】
しかし，システム構成情報を取得したとしても，取得したシステム構成情報の量はファイル数百個分にも及ぶため，取得したシステム構成情報からパラメータシートにシステム構成情報の値を記入するのは困難であるという問題があった。
【００１２】
また，コンピュータシステムを構築する際に，システム構築者がパラメータシートへシステム構成情報の値を記入していた場合でも，時間の経過に伴い，コンピュータシステムへ新たなソフトウェアをインストールしたり，設定を変更したりする等，コンピュータ上のシステム構成情報が変更されたが，パラメータシートの変更を怠ってしまうと，パラメータシートと実際のコンピュータとでシステム構成情報の整合性が取れなくなってしまう場合がある。
【００１３】
これらの場合には，最新のシステム構成情報が記されたパラメータシートが存在しないため，例えばディスク障害が発生してシステムの再構築を行わなければいけない場合に，同一のシステムを構築することができない問題があった。
【００１４】
そこで，本発明は，このような問題に鑑みてなされたもので，その目的とするところは，コンピュータシステムのシステム構成情報から自動的にパラメータシートを生成することができる，新規かつ改良された，パラメータシート生成装置およびコンピュータプログラムを提供することにある。
【課題を解決するための手段】
【００１５】
上記課題を解決するために，本発明のある観点によれば，コンピュータシステムを管理するオペレーティングシステムの設定値であるパラメータを記録しておくための，設定値が対応箇所に記録されたパラメータシートを生成するパラメータシート生成装置であって，コンピュータシステムを管理するオペレーティングシステムを構成し，オペレーティングシステムの動作のためのパラメータが記されているシステム構成情報を受信する受信部と，受信したシステム構成情報の内容を解析して，システム構成情報に記されているパラメータを取得する解析部と，解析部で取得したパラメータを，パラメータシートに記録してパラメータシートを生成する生成部と，を含むことを特徴とする，パラメータシート生成装置が提供される。
【００１６】
かかる構成によれば，受信部はシステム構成情報を受信し，解析部はシステム構成情報の中身を分析してパラメータシートの項目に対応するパラメータを取得し，生成部は解析部が取得したパラメータを基にパラメータシートを生成する。その結果，本発明のある観点によるパラメータシート生成装置によれば，コンピュータシステムから取得した膨大なシステム構成情報から容易にパラメータシートを生成することができ，システム構成情報の見方に精通していない技術者であっても容易にシステム構成情報の内容を把握することができる。
【００１７】
上記パラメータシート生成装置は，外部からウェブブラウザを介してアクセス可能であるウェブページを表示するウェブページ表示部をさらに含み，ウェブページ表示部が表示するウェブページを介して，ウェブブラウザからシステム構成情報の送信が可能であってもよい。かかる構成によれば，ウェブページ表示部は，ウェブブラウザからシステム構成情報の送信が可能なウェブページを表示する。その結果，ウェブページ表示部が表示するウェブページにアクセスできる環境であれば，その環境からシステム構成情報を送信することができる。
【００１８】
解析部は，複数のシステム構成情報を解析し，生成部は，パラメータシートをシステム構成情報毎に生成してもよい。かかる構成によれば，パラメータシート生成装置は，複数のシステム構成情報を受信し，受信したシステム構成情報毎にパラメータシートを生成する。その結果，一度に複数のシステム構成情報を受信し，その複数のシステム構成情報から，システム構成情報毎にパラメータシートを生成することができる。
【００１９】
生成部は，複数のシステム構成情報間の相違点に関する情報をさらに生成してもよい。かかる構成によれば，生成部は，システム構成情報間の相違点を検出し，その相違点に関する情報を生成する。その結果，複数のシステム構成情報の相違点を容易に把握することができる。
【００２０】
パラメータシートは，スプレッドシートの形式で生成されていてもよい。その結果，パラメータシートをスプレッドシートの形式で生成することで，１つのファイルに複数のパラメータシートをまとめて生成することができる。
【００２１】
上記課題を解決するために，本発明の別の観点によれば，コンピュータシステムを管理するオペレーティングシステムの設定値であるパラメータを記録しておくための，設定値が対応箇所に記録されたパラメータシートを生成するコンピュータプログラムであって，コンピュータをして，コンピュータシステムを管理するオペレーティングシステムを構成し，オペレーティングシステムの動作のためのパラメータが記されているシステム構成情報を受信する処理と，受信したシステム構成情報の内容を解析して，システム構成情報の内部のパラメータを取得する処理と，システム情報を解析して取得したパラメータを，パラメータシートに記録してパラメータシートを生成する処理と，を実行せしめることを特徴とする，コンピュータプログラムが提供される。
【００２２】
かかる構成によれば，コンピュータプログラムは，システム構成情報を受信し，受信したシステム構成情報の中身を分析してパラメータシートの項目に対応するパラメータを取得し，取得したパラメータを基にパラメータシートを生成する。その結果，本発明の別の観点によるコンピュータプログラムによれば，コンピュータシステムから取得した膨大なシステム構成情報から容易にパラメータシートを生成することができ，システム構成情報の見方に精通していない技術者であっても容易にシステム構成情報の内容を把握することができる。
【００２３】
パラメータシートを生成する処理は，複数のシステム構成情報を解析し，パラメータシートをシステム構成情報毎に生成してもよい。かかる構成によれば，コンピュータプログラムは，複数のシステム構成情報を受信し，受信したシステム構成情報毎にパラメータシートを生成する。その結果，一度に複数のシステム構成情報を受信し，その複数のシステム構成情報から，システム構成情報毎にパラメータシートを生成することができる。
【００２４】
上記コンピュータプログラムは，システム構成情報間の相違点の情報をさらに生成してもよい。かかる構成によれば，コンピュータプログラムは，システム構成情報間の相違点を検出し，その相違点に関する情報を生成する。その結果，複数のシステム構成情報の相違点を容易に把握することができる。
【００２５】
パラメータシートは，スプレッドシートの形式で生成されていてもよい。その結果，パラメータシートをスプレッドシートの形式で生成することで，１つのファイルに複数のパラメータシートをまとめて生成することができる。
【発明の効果】
【００２６】
以上説明したように本発明によれば，パラメータシート生成装置およびコンピュータプログラムを提供できるものである。
【発明を実施するための最良の形態】
【００２７】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２８】
（第１の実施形態）
図１は，本発明の第１の実施形態に係るパラメータシート生成装置を含むシステムを示す説明図である。本発明の第１の実施形態に係るパラメータシート生成装置１２０は，コンピュータシステム１１０のシステム構成情報１１２を受信し，受信したシステム構成情報１１２を解析して，パラメータシート１３０を生成することを特徴とする。
【００２９】
コンピュータシステム１１０は，例えばサーバコンピュータやホストコンピュータであり，コンピュータシステムを構築するシステム構築者によって，ＯＳのインストールや，ＯＳインストール後のコンピュータ名の設定，ＩＰアドレスやサブネットマスク，デフォルトゲートウェイ等のネットワークの設定，カーネルの設定等が行われる。
【００３０】
パラメータシート生成装置１２０は，パラメータシート１３０を生成する際には，コンピュータシステム１１０からシステム構成情報を受信する。システム構成情報は複数のファイルが纏められた形式でパラメータシート生成装置１２０に送信される。システム構成情報はＦＴＰ（Ｆｉｌｅ  Ｔｒａｎｓｆｅｒ  Ｐｒｏｔｏｃｏｌ）方式でコンピュータシステム１１０からパラメータシート生成装置１２０に送信してもよく，ＨＴＴＰ（ＨｙｐｅｒＴｅｘｔ  Ｔｒａｎｓｆｅｒ  Ｐｒｏｔｏｃｏｌ）方式で送信してもよい。
【００３１】
パラメータシート生成装置１２０は，コンピュータシステム１１０からパラメータシート生成装置１２０に送信されたシステム構成情報を解析して，システム構成情報に含まれているパラメータを取得しする。そして，パラメータシート１３０の所定の箇所にシステム構成情報から取得したパラメータを記入して，パラメータが記入されたパラメータシート１３０を出力する。
【００３２】
以上，図１を用いて本発明の第１の実施形態に係るパラメータシート生成装置を含むシステムについて説明した。次に，図２を用いて本発明の第１の実施形態に係るパラメータシート生成装置について説明する。
【００３３】
図２は，本発明の第１の実施形態に係るパラメータシート生成装置について説明する説明図である。図２に示したように，本発明の第１の実施形態に係るパラメータシート生成装置１２０は，受信部１２２と，解析部１２４と，生成部１２５と，出力部１２６と，ウェブページ表示部１２７と，制御部１２８と，記憶部１２９と，を含んで構成される。
【００３４】
受信部１２２は，コンピュータシステムを構成するオペレーティングシステムの情報であるシステム構成情報を受信するものである。システム構成情報は，図１のようにコンピュータシステム１１０から直接送信してもよく，一旦別の端末（パーソナルコンピュータ等）にシステム構成情報を保管しておき，その端末から送信してもよい。
【００３５】
解析部１２４は，受信部１２２で受信したシステム構成情報の解析を行い，システム構成情報に記されているパラメータを取得するものである。生成部１２５は，解析部１２４でシステム構成情報の解析を行った結果を基に，解析部１２４で取得したパラメータの値をパラメータシートの対応する箇所に記してパラメータシートの生成を行うものである。出力部１２６は，生成部１２５で生成されたパラメータシートの出力を行うものである。
【００３６】
ウェブページ表示部１２７は，外部からウェブブラウザを介してアクセス可能であるウェブページを表示するものである。表示されるウェブページは，ファイルの送信が可能であるように作成されたものであり，パラメータシート生成装置１２０は，ウェブページ表示部１２７が表示するウェブページを介してシステム構成情報が送信されてもよい。
【００３７】
制御部１２８は，パラメータシート生成装置１２０の各部の動作を制御するものである。制御部１２８は，例えばＣＰＵ，ＲＡＭ（Ｒａｎｄｏｍ  Ａｃｃｅｓｓ  Ｍｅｍｏｒｙ），ＲＯＭ（Ｒｅａｄ  Ｏｎｌｙ  Ｍｅｍｏｒｙ）等から構成されている。
【００３８】
記憶部１２９は，パラメータシート生成装置１２０の各種情報を記憶させるものであり，例えばハードディスクドライブで構成されている。記憶部１２９には，制御部１２８からの呼び出しに応じて，受信部１２２と，解析部１２４と，生成部１２５と，出力部１２６と，ウェブページ表示部１２７とを制御する処理を実行するコンピュータプログラムを格納していてもよい。
【００３９】
以上，図２を用いて本発明の第１の実施形態に係るパラメータシート生成装置について説明した。次に，図３を用いて本発明の第１の実施形態に係るパラメータシートについて説明する。
【００４０】
図３は，本発明の第１の実施形態に係るパラメータシートについて説明する説明図である。コンピュータシステムを構築する際には図３に示したようなパラメータシート１３０を用意し，システム構築者はパラメータシートにコンピュータシステムを構築する際に設定するパラメータを記入する。
【００４１】
パラメータシートは，データが行と列で構成される表形式で生成されていてもよく，データが行と列で構成される表形式の一例として，スプレッドシートの形式で生成されていてもよい。また，パラメータは直接記入してもよく，あらかじめ設定されている値の中から選択してもよい。
【００４２】
図３に示したようなパラメータシート１３０においては，システム構築者は「１．システム構成」欄の「ユーザ名」「システム名」「サーバ機種」「ＨＰ−ＵＸ  ＯＳ」「実装メモリ」の項目および「２．ネットワークパラメータ」の「主ホスト名（Ｐｒｉｍａｒｙ  Ｈｏｓｔｎａｍｅ）」並びに「標準ＣｏｒｅＬＡＮ  １０／１００Ｂａｓｅ」の「値」の欄に値を記入もしくは選択することで，パラメータシートを完成させる。システム構築者がコンピュータシステムを構築する際には，値が記入されたパラメータシートを見ながら，コンピュータシステムの構築を行う。
【００４３】
なお，図３はパラメータシート１３０の一部に過ぎず，ネットワークの設定情報の他にファイルシステムの設定情報やカーネルのパラメータの設定情報についても値を記入する欄を設け，それぞれの設定情報についての値を記入もしくは選択することも可能である。
【００４４】
パラメータシートは，表計算ソフトを用いてスプレッドシートの形式で作成されていてもよい。スプレッドシートの形式で作成されていた場合，１つのファイルで複数のシートを生成することができるので，システム構成情報の種類によってシートを変更する等して，パラメータシートを使い易くすることができる。
【００４５】
以上，図３を用いて本発明の第１の実施形態に係るパラメータシートについて説明した。次に，図４を用いて本発明の第１の実施形態に係るシステム構成情報について説明する。
【００４６】
図４は，本発明の第１の実施形態に係るシステム構成情報について説明する説明図である。図４の（ａ）はホスト名やＯＳの版数に関する情報について示してあり，図４の（ｂ）は，システム構成情報の内，ネットワークに関する情報について示してある。
【００４７】
図４の（ａ）は，２番目のカラムにはホスト名である「ｏｓｃ５００」が記載されてあり，３番目のカラムにはＯＳの版数である「Ｂ．１１．００」が記載されてある。
【００４８】
そして，図４の（ｂ）は，「ＩＰ＿ＡＤＤＲＥＳＳ［０］」の欄に「１９２．１６８．０．１０」と記載されてあり，このシステム構成情報を有するコンピュータのＩＰアドレスが「１９２．１６８．０．１０」である事を示している。また，「ＳＵＢＮＥＴ＿ＭＡＳＫ［０］」の欄に「２５５．２５５．２５５．１２８」と記載されてあり，このシステム構成情報を有するコンピュータのサブネットマスクが「２５５．２５５．２５５．１２８」であることを示している。
【００４９】
なお，システム構成情報はこれに限られるものではなく，この他にもディスク構成やカーネルの定義情報（コンフィグレーション）等に関する情報が記されており，システム構成情報を構成するファイルの数は数百個に及ぶ。
【００５０】
以上，図４を用いて本発明の第１の実施形態に係るシステム構成情報について説明した。次に，図５を用いて本発明の第１の実施形態に係るパラメータシート生成方法について説明する。
【００５１】
図５は，本発明の第１の実施形態に係るパラメータシート生成方法について説明する流れ図である。図５を用いて本発明の第１の実施形態に係るパラメータシート生成方法について説明すれば，最初にパラメータシート生成装置１２０の受信部１２２は，コンピュータシステム１１０から取得したシステム構成情報１１２を受信する（ステップＳ１１０）。コンピュータシステムからシステム構成情報１１２を取得する方法として，特許文献１の方法を用いて一括して取得してもよい。
【００５２】
システム構成情報を受信すると，次に解析部１２４がシステム構成情報のファイルの中身を解析し，システム構成情報の内容を取得する（ステップＳ１２０）。システム構成情報の内容を取得すると，解析部１２４が取得した値を生成部１２５がパラメータシート１３０における対応箇所に記入する（ステップＳ１３０）。
【００５３】
例えば，図３で示したようなパラメータシート１３０の場合，システム構成情報の内容を取得した結果，パラメータシート１３０の「１．システム構成」欄の「実装メモリ」に該当する項目があった場合，システム構成情報に記されている実装メモリの値をパラメータシート１３０の「実装メモリ」欄に記す。
【００５４】
また，図４の（ａ）および（ｂ）に示したようなシステム構成情報を受信した場合，ホスト名である，ＯＳの版数，ＩＰアドレスおよびサブネットマスクの情報が記載されているため，パラメータシート１３０のホスト名欄に「ｏｓｃ５００」，ＯＳの版数欄に「Ｂ．１１．００」ＩＰアドレス欄に「１９２．１６８．０．１０」，サブネットマスク欄に「２５５．２５５．２５５．１２８」という値を記す。
【００５５】
そして，パラメータシート１３０に記入すべき箇所がまだ残っているかどうかを確認し（ステップＳ１４０），記入すべき箇所がまだ残っている場合には上記ステップＳ１２０に戻り，再度解析部１２４がシステム構成情報の内容を取得し，生成部１２５がパラメータシート１３０に解析部１２４で取得した値の記入を行う。一方，パラメータシート１３０に記入すべき箇所が残っていない場合には，出力部１２６がパラメータシート１３０の出力を行い（ステップＳ１４０），処理を完了させる。
【００５６】
以上，図５を用いて本発明の第１の実施形態に係るパラメータシート生成方法について説明した。
【００５７】
以上説明したように，本発明の第１の実施形態に係るパラメータシート生成装置によれば，コンピュータシステムを構築した後に，構築した際のパラメータの値が不明になったり，コンピュータシステムの設定を変更して，パラメータシートの値とコンピュータシステムとの値に整合性が取れなくなったりした場合に，コンピュータシステムに設定されたシステム構成情報の見方が分からない技術者であっても，システム構成情報から自動的に最新のパラメータシートを生成することができる。
【００５８】
（第２の実施形態）
第１の実施形態では，コンピュータシステムに設定されたシステム構成情報から自動的に最新のパラメータシートを生成するパラメータシート生成装置について説明した。第２の実施形態では，コンピュータシステムの設定を変更する際に，設定変更前のシステム構成情報と設定変更後のシステム構成情報とを送信し，設定変更前のシステム構成情報と設定変更後のシステム構成情報との両方からパラメータシートを生成するパラメータシート生成装置について説明する。
【００５９】
図６は，本発明の第２の実施形態に係るパラメータシート生成装置を含むシステムを示す説明図である。本発明の第２の実施形態に係るパラメータシート生成装置１２０は，コンピュータシステム２１０から変更前システム構成情報２１２および変更後システム構成情報２１４を受信し，受信した変更前システム構成情報２１２および変更後システム構成情報２１４を解析して，パラメータシート２３０を生成することを特徴とする。
【００６０】
本実施形態においては，パラメータシート生成装置１２０は変更前と変更後の２つのシステム構成情報を受信してパラメータシート２３０を生成しているが，本発明はこれに限定されず，３つ以上のシステム構成情報を受信してパラメータシート２３０を生成してもよい。
【００６１】
コンピュータシステム２１０は，コンピュータシステムを構築する担当者によって，ＯＳのインストールや，ＯＳインストール後のコンピュータ名，ＩＰアドレス，カーネルの設定等が行われる。
【００６２】
パラメータシート生成装置１２０は，パラメータシート２３０を生成する際には，コンピュータシステム１１０からシステム構成情報を受信する。本実施形態においては，変更前システム構成情報２１２および変更後システム構成情報２１４の２つのシステム構成情報を受信する。
【００６３】
システム構成情報はいずれも複数のファイルが纏められた形式でパラメータシート生成装置１２０に送信される。システム構成情報はＦＴＰ方式でコンピュータシステム１１０からパラメータシート生成装置１２０に送信してもよく，ＨＴＴＰ方式でコンピュータシステム１１０からパラメータシート生成装置１２０に送信してもよい。
【００６４】
パラメータシート生成装置１２０は，コンピュータシステム２１０からパラメータシート生成装置１２０に送信された変更前システム構成情報２１２および変更後システム構成情報２１４を解析し，パラメータシート２３０の所定の箇所にシステム構成情報から取得した値を記入する。そして，パラメータシート生成装置１２０は値が記入されたパラメータシート２３０を出力する。
【００６５】
以上，図６を用いて本発明の第２の実施形態に係るパラメータシート生成装置を含むシステムについて説明した。本発明の第２の実施形態に係るパラメータシート生成装置の構成は第１の実施形態と同一であるため，詳細な説明は割愛する。次に，図７を用いて本発明の第２の実施形態に係るパラメータシート生成方法について説明する。
【００６６】
図７は，本発明の第２の実施形態に係るパラメータシート生成方法について説明する流れ図である。図７を用いて本発明の第２の実施形態に係るパラメータシート生成方法について説明すれば，最初にパラメータシート生成装置１２０はコンピュータシステム２１０から取得した変更前システム構成情報２１２および変更後システム構成情報２１４を受信する（ステップＳ２１０）。本実施形態においても，コンピュータシステムから変更前システム構成情報２１２および変更後システム構成情報２１４を取得する方法として，特許文献１の方法を用いて一括して取得してもよい。
【００６７】
システム構成情報を受信すると，次に解析部１２４が変更前システム構成情報２１２および変更後システム構成情報２１４のファイルの中身を解析し，システム構成情報の内容を取得する（ステップＳ２２０）。システム構成情報の内容を取得すると，解析部１２４が取得した変更前システム構成情報２１２の値を，生成部１２５がパラメータシート２３０における対応箇所に記入し（ステップＳ２３０），次いで変更後システム構成情報２１４の値を，生成部１２５がパラメータシート２３０における対応箇所に記入する（ステップＳ２４０）。
【００６８】
変更前システム構成情報２１２の値と，変更後システム構成情報２１４の値とは，それぞれ別のパラメータシートに記入する。別々のパラメータシートに記入することで，システム構成情報ごとの設定内容を容易に把握することができる。
【００６９】
そして，パラメータシート２３０に記入すべき箇所がまだ残っているかどうかを確認し（ステップＳ２５０），記入すべき箇所がまだ残っている場合には上記ステップＳ２２０に戻り，再度解析部１２４がシステム構成情報の内容を取得し，生成部１２５が，パラメータシート２３０に解析部１２４で取得した値の記入を行う。一方，パラメータシート２３０に記入すべき箇所が残っていない場合には，解析部１２４が，変更前システム構成情報２１２の値と変更後システム構成情報２１４の値と間で，相違点がある項目を取得する（ステップＳ２６０）。
【００７０】
解析部１２４が取得した変更前システム構成情報２１２の値と変更後システム構成情報２１４の値との相違点は，上記ステップＳ２４０で値を記入したパラメータシートとは別に，変更履歴としてまとめて生成する（ステップＳ２７０）。相違点を別にまとめることで，システム構成情報間の設定内容の変更点を容易に把握することができる。
【００７１】
出力部１２６は，上記ステップＳ２４０でシステム構成情報の値を記入したパラメータシートおよび上記ステップＳ２７０で生成した変更履歴の出力を行い（ステップＳ２８０），処理を完了させる。
【００７２】
以上，図７を用いて本発明の第２の実施形態に係るパラメータシート生成方法について説明した。
【００７３】
以上説明したように，本発明の第２の実施形態に係るパラメータシート生成装置およびパラメータシート生成方法によれば，コンピュータシステムの設定を変更する際に，設定変更前のシステム構成情報と設定変更後のシステム構成情報とを送信し，設定変更前のシステム構成情報と設定変更後のシステム構成情報との両方からパラメータシートを生成することができる。
【００７４】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００７５】
本発明は，パラメータシート生成装置およびプログラムに適用可能である。
【図面の簡単な説明】
【００７６】
【図１】本発明の第１の実施形態に係るパラメータシート生成装置を含むシステムを示す説明図である。
【図２】同実施の形態におけるパラメータシート生成装置について説明する説明図である。
【図３】同実施の形態におけるパラメータシートについて説明する説明図である。
【図４】同実施の形態におけるシステム構成情報について説明する説明図である。
【図５】同実施の形態におけるパラメータシート生成方法について説明する流れ図である。
【図６】本発明の第２の実施形態に係るパラメータシート生成装置を含むシステムを示す説明図である。
【図７】同実施の形態におけるパラメータシート生成方法について説明する流れ図である。
【図８】従来のコンピュータシステムの構築方法の概要を示す説明図である。
【符号の説明】
【００７７】
１１０，２１０      コンピュータシステム
１１２      システム構成情報
１２０      パラメータシート生成装置
１２２      受信部
１２４      解析部
１２５      生成部
１２６      出力部
１２７      ウェブページ表示部
１２８      制御部
１２９      記憶部
１３０，２３０      パラメータシート
２１２      変更前システム構成情報
２１４      変更後システム構成情報
２３０      パラメータシート
【図１】
2007241532.tif 000003
【図２】
2007241532.tif 000004
【図３】
2007241532.tif 000005
【図４】
2007241532.tif 000006
【図５】
2007241532.tif 000007
【図６】
2007241532.tif 000008
【図７】
2007241532.tif 000009
【図８】
2007241532.tif 000010